(57)【要約】【課題】冷却風及び熱伝播によって効率よくランプを冷却しつつ、ＶＯＣの排出を抑制することができるプロジェクタを提供する。【解決手段】排気口３４が形成されている第１部屋３１と、ランプ２を収容している第２部屋３２とに分けられている筐体３を備え、第２送風機４２が発生させ導入口３５を通って第２部屋３２へ送風された第２冷却風が、ランプ２が発生させる高熱を吸熱してランプ２を冷却し、吸熱した熱を伝熱板５１へ伝播させる。伝播した熱は伝熱板５１が受熱し、受熱された熱は伝熱板５１からヒートパイプ５３を通ってヒートシンク５２へ伝導し、ヒートシンク５２にて、第１送風機４１が送風した第１冷却風に吸熱されて、排気口３４から排出される。導入口３５以外は第２部屋３２は略密閉されているため、ランプ２が発生させた熱によって発生したＶＯＣは第２部屋３２内に留まり、排気口３４から排出された第１冷却風にはほとんど含まれない。【選択図】図１
2008225103.tif 000002
【特許請求の範囲】
【請求項１】
画像を投射するためのランプと、
該ランプを収容する筐体と
を備えるプロジェクタにおいて、
前記筐体は、排気口が形成されている第１部屋、及び該第１部屋と壁で仕切られている第２部屋の少なくとも２部屋に分けられており、
前記ランプは前記第２部屋に収容されており、
前記ランプが発生させる熱を前記第１部屋へ伝播させる熱伝播手段を備えることを特徴とするプロジェクタ。
【請求項２】
前記第１部屋を通過して前記排気口から排出される第１冷却風を発生させる第１送風機と、
前記第２部屋へ送風される第２冷却風を発生させる第２送風機と
を更に備え、
前記第２部屋は、前記第２冷却風の導入口を有し、
前記熱伝播手段は、前記熱を前記第１冷却風の流路へ伝播させるようにしてあることを特徴とする請求項１に記載のプロジェクタ。
【請求項３】
前記熱伝播手段は、
前記第２部屋に配されており、前記熱を受け止める受熱部材と、
前記流路に配されている放熱部材と、
該放熱部材及び前記受熱部材を連結する熱伝導機構と
を備え、
前記第２冷却風の上流側に前記ランプが配され、下流側に前記受熱部材が配されていることを特徴とする請求項２に記載のプロジェクタ。
【請求項４】
前記第２送風機から前記受熱部材への前記第２冷却風の流通方向が、略水平方向であることを特徴とする請求項３に記載のプロジェクタ。
【請求項５】
前記熱伝導機構は、ヒートパイプを用いてなることを特徴とする請求項３又は４に記載のプロジェクタ。
【発明の詳細な説明】
【技術分野】
【０００１】
本発明は、画像を投射するためのランプを備え、このランプを冷却するプロジェクタに関する。
【背景技術】
【０００２】
壁面、スクリーン等に画像を投射するプロジェクタは、画像を投射するためのランプが発生させた高熱を排出するために、従来、送風機が発生させた冷却風でランプを冷却している。このようなプロジェクタでは、ランプが発生させる熱の大部分が冷却風に吸熱されて、プロジェクタの筐体に形成されている排気口から外部へ排出される。
【０００３】
図３は、従来のプロジェクタの内部構成を示す概略平面図である。
図中９１はプロジェクタであり、プロジェクタ９１は、正面に投射レンズ９１１が配されている直方体状の筐体９３を備え、筐体９３の左側面に全面的に、外気を吸入する吸気口９３３を有する。また、筐体９３の右側面に全面的に、吸入した外気を排出する排気口９３４が形成されている。
【０００４】
筐体９３の正面側の吸気口９３３近傍には、投射レンズ９１１、反射パネル９１３等を含む光学ユニット９１０が内蔵されており、筐体９３の正面側の排気口９３４近傍には、ランプ９２を含むランプユニット９２０が内蔵されている。
更に、筐体９３の背面側には、吸気口９３３近傍から排気口９３４近傍に亘って、電源回路、ランプ点灯回路、映像処理回路等を含む電源バラストユニット９６が内蔵されている。
【０００５】
筐体９３の電源バラストユニット９６と排気口９３４との間には、筐体９３の内部→外部方向へ送風する第１送風機９４１が内蔵されており、第１送風機９４１が作動することによって吸気口９３３から外気が吸入されて冷却風が発生し、発生した冷却風は、主に電源バラストユニット９６を冷却して、排気口９３４から排出される。第１送風機９４１によって排出される冷却風の温度は低く、約４０℃である。
【０００６】
筐体９３のランプユニット９２０と排気口９３４との間には、筐体９３の内部→外部方向へ送風する２台の第３送風機９４４，９４４が内蔵されており、第３送風機９４４，９４４が作動することによって吸気口９３３から外気が吸入されて冷却風が発生し、発生した冷却風は、主に光学ユニット９１０及びランプユニット９２０を冷却して、排気口９３４から排出される。
第１送風機９４１及び第３送風機９４４，９４４は軸流ファンを用いてなる。
【０００７】
筐体９３の光学ユニット９１０と電源バラストユニット９６との間には、筐体９３の外部→内部方向へ送風する第２送風機９４２と、反射パネル９１３を冷却するためのヒートシンク９４３とが内蔵されており、第２送風機９４２とランプユニット９２０との間にダクト９３６が配されている。ダクト９３６の一端は第２送風機９４２からの冷却風を受け入れ、また、他端からランプユニット９２０内へ冷却風が送られる。
【０００８】
第２送風機９４２はシロッコファンを用いてなり、第２送風機９４２が作動して吸気口９３３から外気を吸入することによって冷却風が発生し、発生した冷却風は、まず、ヒートシンク９４３を冷却し、次いで、ダクト９３６を通ってランプユニット９２０内へ送風されてランプ９２を冷却し、更に、ランプユニット９２０に設けられている排出口９２ａからランプユニット９２０外部へ排出されて、第３送風機９４４，９４４が発生させた冷却風と共に、排気口９３４から排出される。
ランプ９２に由来する高熱の略全部を吸熱しているため、第３送風機９４４，９４４によって排出される冷却風の温度は高く、約９０℃である。
【０００９】
以上のようなプロジェクタ９１においては、第２送風機９４２がランプ９２に対して直接的に冷却風を送風し、ランプ９２が発生させた熱を吸熱した冷却風が排気口９３４から強制的に排出されることによって、ランプ９２が効率よく冷却される。
【００１０】
ところで、従来、ランプが発生させた高熱をヒートパイプ及びヒートシンクを用いて外部へ排出することによってランプを冷却するプロジェクタが開示されている（特許文献１〜５参照）。
特許文献１，３，５に開示されているプロジェクタのように、ヒートパイプ及びヒートシンクと送風機とを併用する場合は冷却効果が向上され、特許文献２，４に開示されているプロジェクタのように、送風機を用いずにヒートパイプ及びヒートシンクで排熱する場合は送風機の作動による騒音の発生が防止され、更に、吸熱した冷却風が熱風となって排気口から排出されることが防止される。
【特許文献１】特開２００３−７５０８１号公報
【特許文献２】特開２００５−６２３７３号公報
【特許文献３】特開２００６−９１６９７号公報
【特許文献４】特開２００６−２２７０８７号公報
【特許文献５】特開２００６−２６７６２２号公報
【発明の開示】
【発明が解決しようとする課題】
【００１１】
ランプ９２が発生させる熱は高温であるため、プロジェクタ９１の各部を構成する合成樹脂、金属表面の塗料、接着剤、残留している洗剤等が、ランプ９２が発生させた熱によって揮発してＶＯＣ（揮発性有機化合物：Volatile Organic Compounds）を生じる。生じたＶＯＣは、ランプ９２を冷却した冷却風に混入して排気口９３４から筐体９３の外部へ排出されるが、ＶＯＣは有害物質であるため、ＶＯＣの筐体９３外部への排出の抑制が求められている。
仮に、各送風機９４１，９４２，９４４，９４４を用いない場合は、ＶＯＣの筐体９３外部への排出が抑制される代わりに、プロジェクタ９１の排熱効率が悪化する。
【００１２】
本発明は斯かる事情に鑑みてなされたものであり、その主たる目的は、排気口が形成されている第１部屋と、ランプを収容している第２部屋とに分けられている筐体を備え、ランプが発生させる熱を第１部屋へ伝播させる構成とすることにより、熱伝播によってランプを冷却しつつ、ＶＯＣの排出を抑制することができるプロジェクタを提供することにある。
【００１３】
本発明の他の目的は、導入口から第２部屋へ送風する構成とすることにより、冷却風及び熱伝播によってランプを冷却しつつ、ＶＯＣの排出を抑制することができるプロジェクタを提供することにある。
【００１４】
本発明の他の目的は、第２部屋へ送風される第２冷却風の上流側にランプが配され、下流側に受熱部材が配され、受熱部材が受け止めた熱を第１部屋へ伝播させる構成とすることにより、冷却風及び熱伝播によって効率よくランプを冷却しつつ、ＶＯＣの排出を抑制することができるプロジェクタを提供することにある。
【００１５】
本発明の他の目的は、第２冷却風の流通方向が略水平方向であることにより、天吊り、据置き等の使用形態によらず、ランプを冷却しつつＶＯＣの排出を抑制することができるプロジェクタを提供することにある。
【００１６】
本発明の更に他の目的は、受熱部材が受け止めた熱を、ヒートパイプを用いて第１部屋へ伝播させる構成とすることにより、効率よく熱を伝播させる熱伝播手段を簡易に構成することができるプロジェクタを提供することにある。
【課題を解決するための手段】
【００１７】
本発明に係るプロジェクタは、画像を投射するためのランプと、該ランプを収容する筐体とを備えるプロジェクタにおいて、前記筐体は、排気口が形成されている第１部屋、及び該第１部屋と壁で仕切られている第２部屋の少なくとも２部屋に分けられており、前記ランプは前記第２部屋に収容されており、前記ランプが発生させる熱を前記第１部屋へ伝播させる熱伝播手段を備えることを特徴とする。
【００１８】
本発明に係るプロジェクタは、前記第１部屋を通過して前記排気口から排出される第１冷却風を発生させる第１送風機と、前記第２部屋へ送風される第２冷却風を発生させる第２送風機とを更に備え、前記第２部屋は、前記第２冷却風の導入口を有し、前記熱伝播手段は、前記熱を前記第１冷却風の流路へ伝播させるようにしてあることを特徴とする。
【００１９】
本発明に係るプロジェクタは、前記熱伝播手段は、前記第２部屋に配されており、前記熱を受け止める受熱部材と、前記流路に配されている放熱部材と、該放熱部材及び前記受熱部材を連結する熱伝導機構とを備え、前記第２冷却風の上流側に前記ランプが配され、下流側に前記受熱部材が配されていることを特徴とする。
【００２０】
本発明に係るプロジェクタは、前記第２送風機から前記受熱部材への前記第２冷却風の流通方向が、略水平方向であることを特徴とする。
【００２１】
本発明に係るプロジェクタは、前記熱伝導機構は、ヒートパイプを用いてなることを特徴とする。
【００２２】
本発明にあっては、第１部屋、及び第１部屋と壁で仕切られている第２部屋の少なくとも２部屋に分けられている筐体を備え、この筐体に、画像を投射するためのランプが収容されている。更に詳細には、ランプは第２部屋に収容されている。
熱伝播手段は、第２部屋に収容されているランプが発生させる熱を第１部屋へ伝播（例えば伝導、輻射等）させることによって、ランプを冷却する。ここで、第１部屋には排気口が形成されているため、第１部屋へ伝播した熱は、例えば第１部屋に内蔵されている送風機が発生させた冷却風に吸熱されて、排気口から外部へ排出される。
【００２３】
ランプが発生させる熱は高温であり、ＶＯＣを発生させる。しかしながら、第２部屋には排気口が形成されていないため、発生したＶＯＣが排気口から外部へ排出されることが抑制される。
また、ランプが発生させた熱は、熱伝播手段によって伝播する途中で放熱されて温度が低下するため、第１部屋へ伝播した熱によるＶＯＣの発生が抑制される。更に、ランプが発生させる高温の熱が直接的に排気口から外部へ排出されず、温度が低下した熱が第１部屋の排気口から外部へ排出されるため、高温の熱風が排出されない。
【００２４】
本発明にあっては、第２送風機が、第２部屋へ送風される第２冷却風を発生させ、発生した第２冷却風は、第２部屋が有する第２冷却風の導入口から第２部屋内部へ導入されて、ランプを冷却する。
第２部屋は第１部屋と壁で仕切られているため、ランプに第２冷却風を吹き付けていても、ランプの発熱によって発生したＶＯＣが第２部屋から第１部屋へ排出されることが抑制される。
第１送風機は、第１部屋を通過して第１部屋の排気口から排出される第１冷却風を発生させる。このため、熱伝播手段が、ランプが発生させる熱を第１冷却風の流路へ伝播させることによって、ランプが発生させ、第１部屋へ伝播した熱が、効率よく外部へ排出される。
【００２５】
本発明にあっては、熱伝播手段が、受熱部材と放熱部材と熱伝導機構とを備える。
受熱部材は第２部屋に配されており、ランプが発生させる熱を受け止める。このために、第２部屋へ送風される第２冷却風の上流側にランプが配され、下流側に受熱部材が配されている。この結果、第２冷却風によってランプが効率よく冷却され、更に、ランプが発生させ、第２冷却風が吸熱した熱を、受熱部材が効率よく受熱する。
【００２６】
第２部屋は第１部屋と壁で仕切られている。このため、ランプの熱によって第２部屋で発生したＶＯＣが第２冷却風に含まれたとしても、第２冷却風が直接的に第１部屋の排気口から排出されず、ＶＯＣが筐体外部へ排出されることが抑制される。
受熱部材が受け止めた熱は、受熱部材と放熱部材とを連結する熱伝導機構を介して放熱部材に伝導する。放熱部材は第１部屋の第１冷却風の流路に配されているため、放熱部材に伝導した熱は、第１冷却風によって効率よく冷却されて、第１部屋の排気口から筐体外部へ排出される。また、放熱部材が第１冷却風によって効率よく放熱するため、受熱部材から熱伝導機構へ、及び熱伝導機構から放熱部材への伝播も効率よく行なわれる。
【００２７】
本発明にあっては、第２送風機から受熱部材への第２冷却風の流通方向が略水平方向であるため、プロジェクタが机上に載置して（即ち据置きされて）用いられようと、天井から吊り下げて（即ち天吊りされて）用いられようと、ランプの冷却効率は略等しい。
【００２８】
仮に、第２送風機から受熱部材への第２冷却風の流通方向が略鉛直方向であった場合、据置き状態でランプから受熱部材へ流通する第２冷却風の流速と、天吊り状態でランプから受熱部材へ流通する第２冷却風の流速とが異なり、据置き状態と天吊り状態とでランプの冷却効率が変化する。このため、据置き状態及び天吊り状態の何れか一方でランプの冷却効率が悪化するか、又は、冷却効率の悪化を避けるために例えば第２送風機の送風速度を増大させる必要があり、騒音の発生、消費電力の増大等の悪影響を及ぼす。
【００２９】
本発明にあっては、熱伝播手段が、受熱部材及び放熱部材と、ヒートパイプを用いてなる熱伝導機構とを備える。
ヒートパイプは熱伝導効率が高いため、受熱部材が受熱した熱が放熱部材まで効率よく伝導されて放熱される。また、第１冷却風及び第２冷却風夫々との位置関係によって制限されるため受熱部材及び放熱部材の各配置の自由度は低いが、このような制限がない熱伝導機構は配置の自由度が高い。ここで、形状の自由度が高く取り扱いが容易なヒートパイプを用いることによって、筐体内部の各部の位置関係に応じてヒートパイプを適切な経路に配置することが可能となる。
【発明の効果】
【００３０】
本発明のプロジェクタによる場合、ランプを収容している第２部屋には排気口が形成されていないため、ランプが発生させる高温の熱によって発生したＶＯＣが排気口から外部へ排出されることを抑制することができる。
また、ランプが発生させた熱を第１部屋へ伝播させることによってランプを冷却することができる。更に、第１部屋へ伝播した低温の熱はＶＯＣの発生を抑制することができるため、第１部屋の排気口から外部へＶＯＣが排出されることを抑制することができる。
【００３１】
つまり、熱伝播によってランプを冷却しつつ、プロジェクタ内部から外部へＶＯＣが排出されることを抑制することができる。
更にまた、この排気口から高温の熱風が排出されることを抑制することができる。
【００３２】
本発明のプロジェクタによる場合、第２送風機が発生させる第２冷却風によって、ランプを冷却することができる。また、第１部屋と壁で仕切られている第２部屋は、第２冷却風に含まれるＶＯＣが第２部屋から第１部屋の排気口を通って筐体外部へ排出されることを抑制することができる。
更に、ランプが発生させる熱を第１冷却風の流路へ伝播させることによって、ランプが発生させ、第１部屋へ伝播した熱を、効率よく外部へ排出することができる。
つまり、冷却風及び熱伝播によってランプを冷却しつつ、プロジェクタ内部から外部へＶＯＣが排出されることを抑制することができる。
【００３３】
本発明のプロジェクタによる場合、第２部屋へ送風された第２冷却風及び受熱部材によってランプを効率よく冷却することができ、ランプが発生させ、第２冷却風が吸熱した熱を、受熱部材、熱伝導機構及び放熱部材を介して効率よく第１部屋へ伝播させることができる。更に、第１部屋へ伝播した熱を、第１冷却風によって効率よく外部へ排出することができる。
しかも、第２部屋が第１部屋と壁で仕切られているため、第２冷却風に含まれるＶＯＣが筐体外部へ排出されることが抑制される。
つまり、冷却風及び熱伝播によって効率よくランプを冷却しつつ、プロジェクタ内部から外部へＶＯＣが排出されることを抑制することができる。
【００３４】
本発明のプロジェクタによる場合、据置き状態及び天吊り状態の両方でランプを効率よく冷却しつつ、プロジェクタ内部から外部へＶＯＣが排出されることを抑制することができる。また、第２送風機の送風速度を増大させることによる騒音の発生、消費電力の増大等を抑制することができる。
【００３５】
本発明のプロジェクタによる場合、熱伝導効率が高く、しかも適切に配置されているヒートパイプを用いて、効率よく熱を伝播させる熱伝播手段を簡易に構成することができる。
【発明を実施するための最良の形態】
【００３６】
以下、本発明を、その実施の形態を示す図面に基づいて詳述する。
【００３７】
図１及び図２は、本発明の実施の形態に係るプロジェクタの内部構成を示す概略平面図及び概略側面図である。
図中１はプロジェクタであり、プロジェクタ１は、画像を投射するためのランプ２とランプ２が発生させた光を反射させるリフレクタ２１とを有するランプユニット２０を備え、更に、ランプユニット２０を収容する筐体３を備える。
【００３８】
この筐体３には、投射レンズ１１、反射ミラー１２、反射パネル１３、ロッド１４、カラーホイル１５、カラーホイルモータ１６及びランプ前面ガラス１７を備える光学ユニット１０が内蔵されている。
ランプ２が発生させた光は、直接的に又はリフレクタ２１に反射してからランプ前面ガラス１７を透過して光学ユニット１０内部へ導かれ、カラーホイルモータ１６で回転するカラーホイル１５、及びロッド１４を通過し、反射ミラー１２と光学ユニット１０の背面部に配されている反射パネル１３とに反射して、投射レンズ１１からプロジェクタ１外部へ投射される。このことによって、壁面、スクリーン等にカラー画像が投射される。
ランプ２は１８０Ｗであり、約１０００℃の高熱を発生させる。
【００３９】
筐体３は、正面３ａ、背面３ｂ、左側面３ｃ、右側面３ｄ、天面３ｅ及び底面３ｆを備える直方体状であり、光学ユニット１０は、筐体３の正面３ａと左側面３ｃとの間の隅角部に配されている。
また、筐体３は、背面３ｂ側の第１部屋３１及び正面３ａ側の第２部屋３２の２部屋に分けられている。第２部屋３２は、光学ユニット１０と右側面３ｄとの間に設けられており、第１部屋３１と第２部屋３２とは、主に区画壁３７によって仕切られている。区画壁３７は断熱性を有し、筐体３の前後方向中央部に右側面３ｄ及び底面３ｆ夫々に密着配置されている。
【００４０】
更に詳細には、第２部屋３２は、光学ユニット１０の筐体の左側壁及びこの左側壁に設けられているランプ前面ガラス１７と、筐体３の正面３ａ、右側面３ｄ、天面３ｅ及び底面３ｆと区画壁３７とで囲繞された空間であり、第２部屋３２にはランプユニット２０が収容されている。ランプユニット２０は着脱が可能であり、底面３ｆの一部を開放することによって、ランプユニット２０の取り付け／取り外しが可能に構成されている。ここで、第２部屋３２内には熱伝播部５の伝熱板５１が正面３ａに対面配置されており、ランプユニット２０は、ランプユニット２０の筐体の正面外側に伝熱板５１が密着するよう筐体３に取り付けられる。
また、第２部屋３２内には、後述する第２冷却風の導入口３５を有するダクト３６が延設されており、第２部屋３２は、導入口３５以外は略密閉されている。
【００４１】
筐体３の底面３ｆには、プロジェクタ１を据置きするための図示しない脚部が設けられている。また、底面３ｆには、プロジェクタ１を天吊りするための図示しない取付部も設けられており、この取付部を介して、プロジェクタ１は天地逆転した姿勢で天井に取り付けられる。
更に、左側面３ｃの前後方向中央部から背面３ｂ近傍に亘って、外気を吸入する吸気口３３が形成されており、右側面３ｄの前後方向中央部から背面３ｂ近傍に亘って、吸入した外気を排出する排気口３４が形成されている。即ち、吸気口３３及び排気口３４夫々は左側面３ｃ及び右側面３ｄに部分的に形成されており、左側面３ｃ及び右側面３ｄに全面的に形成されているのではない。
【００４２】
また、筐体３の背面３ｂと右側面３ｄとの間の隅角部には、排気口３４に対向して、第１部屋３１の内部→外部方向へ送風する第１送風機４１が内蔵されている。第１送風機４１は軸流ファンを用いてなり、第１送風機４１と吸気口３３との間には、電源回路、ランプ点灯回路、映像処理回路等を含む電源バラストユニット６が内蔵されている。
【００４３】
第１送風機４１が作動することによって吸気口３３から外気が吸入されて、第１冷却風が発生する。第１冷却風の流路は吸気口３３と排気口３４とを結ぶ略水平方向の略一直線上に形成され、第１送風機４１が発生させた第１冷却風は、プロジェクタ１が据置きされていても天吊りされていても略水平に流通し、第１冷却風の流路に配されている電源バラストユニット６に接触しながら第１部屋３１を通過することによって電源バラストユニット６を冷却して、排気口３４から排出される。
【００４４】
光学ユニット１０と電源バラストユニット６との間には、第１部屋３１の外部→内部方向へ送風する第２送風機４２と、光学ユニット１０の反射パネル１３の背面側に配置されているヒートシンク４３とが内蔵されている。
第２送風機４２はシロッコファンを用いてなり、第２送風機４２が作動することによって吸気口３３から外気が吸入されて第２冷却風が発生し、発生した第２冷却風は、まず、ヒートシンク４３に接触する。
ランプ２が発生させた光によって反射パネル１３の温度が上昇するため、ヒートシンク４３は反射パネル１３の熱を吸熱し、第２冷却風に対して放熱する。
【００４５】
ダクト３６は、第２送風機４２が発生させ、更にヒートシンク４３に接触した第２冷却風をランプ２及び伝熱板５１へ効率よく送風するために、第１送風機４１から第２部屋３２内部まで略水平方向に延設されている。つまり、第２送風機４２が発生させた第２冷却風の流通方向は、略水平方向である。
ランプ２は第２冷却風の上流側に配されており、伝熱板５１は第２冷却風の下流側に配されている。
第２部屋３２内へ導入された第２冷却風は、まず、ランプ２に接触してランプ２から吸熱することによって、ランプ２を冷却する。次いで、吸熱した第２冷却風は、伝熱板５１に接触して伝熱板５１に放熱する。
【００４６】
ここで、第２冷却風の流通方向が略水平方向であるため、第２冷却風は、たとえプロジェクタ１が天吊りされていても、プロジェクタ１が据置きされている場合と同様に、ランプ２及び伝熱板５１に吹き付ける。このため、プロジェクタ１の使用形態に関わらず、ランプ２が発生させた熱の一部は、第２冷却風によって伝熱板５１へ効率よく伝播する。
【００４７】
ランプ２が発生させる熱を第１部屋３１（更に詳細には第１冷却風の流路）へ伝播させる熱伝播部５は、伝熱板５１、ヒートシンク５２及びヒートパイプ５３を備える。
伝熱板５１の正面３ａに対面する面には、ヒートパイプ５３の一端部が連結されている。ヒートパイプ５３は、伝熱板５１の正面３ａ側から、ランプユニット２０と天面３ｅとの間へ屈曲し、天面３ｅの内側に沿って、第１冷却風の流路まで延設されている。ヒートパイプ５３の他端部は、第１冷却風の流路の天面３ｅ近傍に配されているヒートシンク５２に連結されている。伝熱板５１、ヒートシンク５２及びヒートパイプ５３は、夫々アルミニウム、銅等、熱伝導率が高い金属を用いてなる。
【００４８】
伝熱板５１へ伝播した熱は、伝熱板５１からヒートパイプ５３に伝導し、更に、ヒートパイプ５３からヒートシンク５２に伝導して、第１冷却風の流路に伝播する。伝播した熱は、第１冷却風に吸熱されて、排気口３４から筐体３外部へ排出される。
【００４９】
ランプ２が発生させた熱の残部、即ち伝熱板５１及びヒートパイプ５３によってヒートシンク５２まで伝播しなかった熱は、主に第２部屋３２内の空気を介して、正面３ａ、右側面３ｄ、天面３ｅ、底面３ｆ等へ伝導され、更に筐体３近傍の空気に伝導されることによって、筐体３外部へ排出される。つまり、ランプ２に由来する高熱（即ちランプ２が直接的に発生させた熱及び反射ミラー１２の熱）の一部のみが伝熱板５１、ヒートシンク５２及びヒートパイプ５３によって第１冷却風まで伝播し、残部は第１冷却風まで伝播せずに正面３ａ、右側面３ｄ、天面３ｅ、底面３ｆ等から排熱される。
【００５０】
以上のように、第１冷却風は電源バラストユニット６に由来する熱とランプ２に由来する熱の一部とを吸熱し、また、断熱性を有する区画壁３７が形成されているため、ランプ２が発生させた高温の熱が、区画壁３７を介して第１冷却風に伝導することが抑制されている。このため、第１送風機４１によって排出される冷却風の温度は余り高くはなく、約５０℃である。
【００５１】
なお、伝熱板５１、ヒートシンク５２及びヒートパイプ５３の熱伝導率は、ランプ２の冷却と、第２部屋３２側から第１部屋３１側へ伝播する熱の量との兼ね合いで適宜に設計される。仮に、伝熱板５１、ヒートシンク５２及びヒートパイプ５３の熱伝導率が過剰に高いと第１送風機４１によって排出される冷却風の温度が高くなりすぎる。
【００５２】
ところで、ランプ２が発生させる高温の熱がプロジェクタ１の各部を構成する合成樹脂、金属表面の塗料、接着剤、残留している洗剤等を揮発させることによって、ＶＯＣが生じる。
【００５３】
しかしながら、第２部屋３２は略密閉されているため、導入口３５から第２部屋３２内へ導入された第２冷却風が第２部屋３２の隙間から第２部屋３２の外部へ漏出しても、第２冷却風が第１冷却風の流路へ移動して第１冷却風に直接的に混入することは抑制されている。つまり、ランプ２の発熱によって発生したＶＯＣを含む第２冷却風が第１冷却風に混入することが抑制されている。
しかも、第１冷却風の温度が十分に低いため、第１冷却風に含まれる熱によってＶＯＣが発生することが抑制されている。
以上の結果、発生したＶＯＣが第１冷却風に含まれて筐体３の外部へ排出されることが抑制されている。
【００５４】
ここで、第２冷却風が第２部屋３２から排出され難いため、ランプ２の冷却効率は従来のプロジェクタ９１が備えるランプの冷却効率よりも悪化するが、ランプ２の温度は実用範囲内であるため、問題はない。
最後に、プロジェクタ１の熱分布の表を示す。
【００５５】
【表１】
2008225103.tif 000003
【００５６】
表１には、図１及び図２に示すプロジェクタ１の温度測定ポイントＰ１１〜Ｐ２４夫々の温度及び外気の温度が示されており、参考として、従来のプロジェクタ９１の温度測定ポイントＰ１１〜Ｐ２４に相当する各温度測定ポイントの温度及び外気の温度が示されている。表１中の「実測値」の欄には温度測定ポイントＰ１１〜Ｐ２４夫々の温度の実測値が示されており、この実測値から外気の温度の影響を除くために、「Δｔ＋２５」の欄には、実測値から外気の実測値を減算して２５．０℃を加算した値が示されている。
【００５７】
温度測定ポイントＰ１１，Ｐ１２の温度夫々はランプ２の上側及び下側の温度であり、温度測定ポイントＰ１３，Ｐ１４の温度夫々は、リフレクタ２１内へ送風される第２冷却風及びリフレクタ２１内から排出される第２冷却風夫々の温度である。更に、温度測定ポイントＰ１５の温度は、ランプユニット２０の右側面３ｄ側の空気の温度であり、温度測定ポイントＰ１６の温度は、右側面３ｄのランプユニット２０に対向する部分の温度である。ただし、従来のプロジェクタ９１の温度測定ポイントＰ１６に相当する温度測定ポイントの温度は、第３送風機９４４，９４４によって排出される冷却風（即ちランプ９２の高熱を直接的に吸熱した冷却風）の温度に略等しい。
【００５８】
更にまた、温度測定ポイントＰ１７の温度は、排気口３４から排出される第１冷却風の温度である。ただし、従来のプロジェクタ９１の温度測定ポイントＰ１７に相当する温度測定ポイントの温度は、第１送風機９４１によって排出される冷却風の温度に略等しい。
また、温度測定ポイントＰ１８の温度は天面３ｅのランプユニット２０に対向する部分の温度であり、温度測定ポイントＰ１９の温度はランプユニット２０と正面３ｅとの間の空気の温度である。ただし、従来のプロジェクタ９１の温度測定ポイントＰ１９に相当する温度測定ポイントの温度は、ランプユニット９２０の排出口９２ａから排出される冷却風の温度に略等しい。
【００５９】
更に、温度測定ポイントＰ２０〜Ｐ２４夫々は、伝熱板５１のランプ２側の面、ヒートパイプ５３の伝熱板５１との連結部、ヒートパイプ５３のヒートシンク５２との連結部、ヒートシンク５２の正面３ａ側端部、及びヒートシンク５２の背面３ｂ側端部であり、これらに対応する温度測定ポイントは従来のプロジェクタ９１には存在しない。
【００６０】
温度測定ポイントＰ１１〜Ｐ１５及び温度測定ポイントＰ１８夫々の温度が示すように、ランプ２近傍の温度は従来の温度よりも高くなっている。ただし、ランプ２の高熱を直接的に吸熱した冷却風が排出されていないため、温度測定ポイントＰ１６の温度は大幅に低下しており、温度測定ポイントＰ１９は、温度測定ポイントＰ１９とランプ２との間に伝熱板５１が配されているため、従来の温度より大幅に低下している。
【００６１】
一方、温度測定ポイントＰ１７の温度は従来よりも高くなっているが、これは、排気口３４から排出される第１冷却風に、電源バラストユニット６が発生させた熱とランプ２が発生させた熱の一部とが両方含まれているためである。しかしながら、第１冷却風の排出温度は、ランプ９２の高熱を直接的に吸熱した冷却風の排出温度（即ち従来のプロジェクタ９１の温度測定ポイントＰ１６に相当する温度測定ポイントの温度）に比べて十分に低い。このため、第１冷却風によって排出されるＶＯＣの量は、ランプ９２の高熱を直接的に吸熱した冷却風によって排出されるＶＯＣの量よりも少ない。
【００６２】
温度測定ポイントＰ２０，Ｐ２１の温度よりも、温度測定ポイントＰ２２〜Ｐ２４の方が大幅に低い理由は、伝熱板５１側からヒートシンク５２側へ熱が伝播する間に、伝播する熱の一部が例えば天面３ｅを介して筐体３近傍の空気に伝導することによって、筐体３外部へ排出されているからであると考えられる。
ところで、熱の伝播方向上流側である温度測定ポイントＰ２０の温度よりも熱の伝播方向下流側である温度測定ポイントＰ２１の温度の方が僅かに高いが、これは測定誤差であると考えられる。
【００６３】
以上のようなプロジェクタ１は、第２部屋３２に収容されているランプ２に、第２送風機４２が発生させた高速の冷却風を吹き付けることによってランプ２を冷却し、この冷却風が吸熱した熱を、受熱部材である伝熱板５１と、熱伝導機構であるヒートパイプ５３と、放熱部材であるヒートシンク５２とで構成されている熱伝播部５（即ち熱伝播手段）を介して、第１部屋３１の空気中に放熱することによって、第２部屋３２から第１部屋３１へ、ランプ２が発生させた熱を、ＶＯＣを伴わずに伝播させている。また、第１部屋３１にて第１送風機４１が発生させた冷却風がヒートシンク５２を冷却してから排気口３４を通って排出される。このため、ランプ２は、冷却風及び熱伝播によって効率よく冷却される。
【００６４】
しかも、排気口３４から排出される冷却風にはＶＯＣがほとんど含まれないため、筐体３内部からの有害物質の排出が抑制される。
更に、排気口３４から排出される冷却風は、ランプ２に対して直接的に吹き付けられた冷却風よりも温度が低いため、排気口３４からの熱風の排出が抑制される。
また、吸気口３３及び排気口３４夫々の開口面積が、従来の吸気口及び排気口よりも小さいため、吸気口３３及び排気口３４夫々から塵、ゴミ等が筐体３内へ侵入することが抑制される。
【００６５】
更に、送風機の個数が従来の４台から第１送風機４１及び第２送風機４２の２台に低減されているため、送風に係る騒音が低減される。
更にまた、ランプ２が、略密閉状態の第２部屋３２に収容されているため、ランプ２の光が、例えば排気口３４から漏れ出ることが防止される。このため、漏れ出た光が、壁面、スクリーン等に投射されたカラー画像を視認し難くしたり、使用者の視界の妨げとなったりすることが防止される。
【００６６】
ところで、本実施の形態の第２部屋３２とランプユニット２０とが別体であるため、ランプユニット２０の筐体は気密性を有する必要がない。従って、一般的なランプユニット２０を第２部屋３２に収容することが可能となる。
なお、ランプユニット２０が気密性を有する筐体を備え、この筐体を、第１部屋３１と第２部屋３２とを仕切る壁の一部又は全部として用いる構成でもよい。この場合、第２部屋３２がコンパクトに形成される。
また、ランプユニット２０の筐体に伝熱板５１を組み込む構成でもよい。
【００６７】
更に、熱伝播手段は、本実施の形態の構成に限定されるものではなく、ヒートプレーン（即ち、冷却液を封じ込めた細管が設けられている金属プレート）、ペルチェ素子等を用いる構成でもよい。
【図面の簡単な説明】
【００６８】
【図１】本発明の実施の形態に係るプロジェクタの内部構成を示す概略平面図である。
【図２】本発明の実施の形態に係るプロジェクタの内部構成を示す概略側面図である。
【図３】従来のプロジェクタの内部構成を示す概略平面図である。
【符号の説明】
【００６９】
１    プロジェクタ
２    ランプ
３    筐体
３１  第１部屋
３２  第２部屋
３４  排気口
３５  導入口
３７  区画壁（壁）
４１  第１送風機
４２  第２送風機
５    熱伝播部（熱伝播手段）
５１  伝熱板（受熱部材）
５２  ヒートシンク（放熱部材）
５３  ヒートパイプ（熱伝導機構）
【図１】
2008225103.tif 000004
【図２】
2008225103.tif 000005
【図３】
2008225103.tif 000006